(57)【要約】【課題】本発明は同軸ケーブル用中継アダプタに関し、中心コンタクトにおける組立て作業の際の、ハンダ付け作業を解消して、コストの削減と、部品点数の削減を図ることが課題である。【解決手段】同軸ケーブルを接続する接続部をアダプタ本体から突出させた中継アダプタであって、前記中継アダプタにおける中心導体接続用の中心コンタクト５は、同軸ケーブルに接続される接続側コンタクト７と、該接続側コンタクトの内部側端部に接続される中央部コンタクト６とからなり、前記中央部コンタクトの両端部が圧入接続構造にされている同軸ケーブル用中継アダプタ１とする。【選択図】図１
2005050752.tif 000002
【特許請求の範囲】
【請求項１】
同軸ケーブルを接続する接続部をアダプタ本体から突出させた中継アダプタであって、
前記中継アダプタにおける中心導体接続用の中心コンタクトは、同軸ケーブルに接続される接続側コンタクトと、該接続側コンタクトの内部側端部に接続される中央部コンタクトとからなり、
前記中央部コンタクトの両端部が圧入接続構造にされていること、
を特徴とする同軸ケーブル用中継アダプタ。
【請求項２】
中央部コンタクトと接続側コンタクトとの接続状態は、略直行方向に屈曲して略Ｌ字型にされていること、
を特徴とする請求項１に記載の同軸ケーブル用中継アダプタ。
【発明の詳細な説明】
【技術分野】
【０００１】
本発明は、例えば、デジタル交換機等の装置において、同軸ケーブル同士を接続するための同軸ケーブル用中継アダプタに関するものである。
【背景技術】
【０００２】
従来の同軸ケーブル用中継アダプタ１１は、図６に示すように、中継アダプタ本体１２の内部空間１２ａに、絶縁体１３で支持された中心コンタクト１４がある。そして、前記中継アダプタ本体１２には、二つの同軸ケーブル接続用の接続部（ＢＮＣタイプ）１５、１５が同方向に突設され、全体として略Ｕ字状又は略コ字状の中継アダプタになっている。
【０００３】
前記中心コンタクト１４は、図７（Ｂ）に示すように、前記接続部１５における中心コンタクト１５ａと、中継アダプタ本体１２における中心コンタクト１２ｂとを電気的に接続して形成される。
【０００４】
しかしながら、前記中心コンタト１５ａと前記中心コンタクト１２ｂとの接続には、ハンダ付けが行われている。このハンダ付け作業には、図７（Ｂ）において、側方の蓋部材であるキャップ１６をはずして、前記両中心コンタクト１５ａ，１２ｂとの交差部にハンダを落として行われる。
【０００５】
この際に、前記ハンダ付け作業によるハンダの量が、作業者によって異なる。そのハンダ量のバラツキによって、高周波信号を扱う同軸ケーブル用中継アダプタとしての特性が変化してしまうことがある。また、中心コンタクト１２ｂを支持する絶縁体（誘電体）１３による反射が大きく、特性に悪影響を与えている。
また、ネジ止めによる接続方法もあるが、部品点数が増えて構造も複雑となる。
【特許文献１】特開２０００−１００５３２公報
【発明の開示】
【発明が解決しようとする課題】
【０００６】
解決しようとする問題点は、中心コンタクトの接続において、ハンダ付け量の相違により特性が変化し、また、中心コンタクトを支持する絶縁体で反射が大きいことである。
【課題を解決するための手段】
【０００７】
本発明に係る同軸ケーブル用中継アダプタは、同軸ケーブルを接続する接続部をアダプタ本体から突出させた中継アダプタであって、前記中継アダプタにおける中心導体接続用の中心コンタクトは、同軸ケーブルに接続される接続側コンタクトと、該接続側コンタクトの内部側端部に接続される中央部コンタクトとからなり、前記中央部コンタクトの両端部が圧入接続構造にされていることである。
また、前記中央部コンタクトと接続側コンタクトとの接続状態は、略直行方向に屈曲して略Ｌ字型にされていることを含むものである。
【発明の効果】
【０００８】
本発明の同軸ケーブル用中継アダプタは、同軸ケーブルに接続される接続側コンタクトと、該接続側コンタクトの内部側端部に接続される中央部コンタクトとでなる中心コンタクトが、ハンダ付け方法により接続され形成されることなく、雄型接続部と雌型接続部とで圧入方法等されて接続されて形成される。よって、この中継アダプタを形成する際のハンダ付けの手間が省けるとともに、アダプタの特性も変化することがなく安定すると言う優れた効果を奏するものである。
また、中央部コンタクトを支持する絶縁体が減少して、アダプタ本体の内部空間の空気量が増えて、反射面が減少して低反射となって好ましく、同時にアダプタ本体をコンパクトにできる。
更に、従来の中継アダプタに比べて、簡易な構造となって組立て工数及び部品点数も削減されコストが低減されると言う優れた効果を奏するものである。
【発明を実施するための最良の形態】
【０００９】
本発明に係る中継アダプタの、ハンダ付け作業を省くことと、部品点数を削減して全体をコンパクトにすることの目的を、圧着作業に変えることと、中央部コンタクトを支持する絶縁体を薄くすることで達成する。
【実施例１】
【００１０】
図１は、本発明に係る中継アダプタ１の断面図（Ａ）と側面図（Ｂ）とを示している。前記中継アダプタ１は、中央部の金属製筒状のシェル２と、その両端部の開口部に圧入して接続される金属製でＬ字型筒状のシェル３，４と、前記シェル２，３，４の内部空間に捜通される中心コンタクト５とから、概ね構成されている。
【００１１】
前記シェル２は、図１（Ｂ）に示すように、電子機器への取付用にフランジ部２ａを有し、そこに取付孔２ｂが設けられている。また、長手方向の両端部には外周縁部に圧入・接続用の段部２ｃが形成されている。
【００１２】
前記シェル３，４は、同一物品であり、その内部空間はＬ字型に屈曲していて、両端部が開口している。これらのシェル２，３，４の内部空間には、連通されて中心コンタクト５がある。この中心コンタクト５は、図３に示すように、中心部コンタクト６と、図４に示すように、接続側コンタクト７とを連結して形成されるものである。
【００１３】
前記中心部コンタクト６は、図３に示すように、細い金属棒体であり、その長手方向の両端部には、ピン挿入用の孔６ａが穿設され、雄雌を嵌合させる圧入接続構造にされている。弾性保持力を持たせるために、十字状のスリ割り６ｂが設けられている。  
【００１４】
前記接続側コンタクト７は、図４に示すように、Ｌ字型に曲げられた金属製棒体であり、片側は先の尖ったピン部７ａにされ、他側は長手方向に沿った接続用の孔７ｃが穿設され、その外周部には弾性保持力を持たせるために、十字状のスリ割り７ｂが設けられている。前記ピン部７ａが、前記中央部コンタクト６の孔６ａに圧入されるものである。また、前記孔７ｃには、接続する同軸ケーブルの中心導体が圧入・接続されるものである。
【００１５】
前記中心コンタクト５を、金属製のシェルの内部空間に捜通させて保持するための絶縁体が、図５に示すように、合成樹脂製の絶縁体８と絶縁体９とで構成されている。この絶縁体８，９には、中央部に挿通孔８ａ，９ａが設けられている。
【００１６】
前記絶縁体８，９を用いて、中継アダプタ１の組立ての際には、例えば、図１に示すように、シェル３，４に接続側コンタクト７を差し込み、当該シェルの一方側開口部から前記絶縁体８を接続側コンタクト７を挿通孔８ａに挿通させて差し込み、更に止めワッシャー１０で押さえ、他方の開口部から絶縁体９を挿通孔９ａにピン部７ａを挿通させてシェル３，４に嵌合させて、組み立てられるものである。
【００１７】
そして、一方のシェル３の前記ピン部７ａに中央部コンタクト６の一端側の孔６ａを嵌合させ、更に、シェル２を段部２ｃに圧入し、他方のシェル４を、ピン部７ａを中央部コンタクト６の他端側の孔６ａに圧入しつつ、段部２ｃに圧入して嵌合させる。前記シェル２にシェル３，４を圧入して嵌合させる際に、同軸ケーブルの接続開口部３ａ，４ａを、図１に示すような略コ字型にしたり、直交する方向に向けたり、１８０゜逆方向に向けたりすることができる。
【００１８】
こうして、中心コンタクト５において、中央部コンタクト６は、接続側コンタクト７，７によって支持されるようになる。これにより、中心コンタクト５において、ハンダ接続が解消されるものである。
【００１９】
このような同軸ケーブル用の中継アダプタにより、ハンダ付け作業の無い組立作業により形成する実装形態を採用したので、簡易な構造となって部品点数が大幅に削減され、その組立工数も削減されることになる。
【産業上の利用可能性】
【００２０】
同軸ケーブル以外にも、線材を電気的に接続を図るコネクタ等の用途にも適用できる。
【図面の簡単な説明】
【００２１】
【図１】同軸ケーブル用中継アダプタ１の断面図（Ａ）、側面図（Ｂ）である。
【図２】同軸ケーブル用中継アダプタ１の半断面図である。
【図３】同軸ケーブル用中継アダプタ１における、中央部コンタクト６の断面図である。
【図４】同軸ケーブル用中継アダプタ１における、接続側コンタクト７の側面図（Ａ）と、一部破断して示す正面図（Ｂ）である。
【図５】同軸ケーブル用中継アダプタ１における、絶縁体８の半断面図（Ａ）と、絶縁体９の半断面図（Ｂ）と、絶縁体９の平面図（Ｃ）である。
【図６】従来例に係る同軸ケーブル用中継アダプタ１１を、半断面にして示す平面図である。
【図７】同従来例に係る同軸ケーブル用中継アダプタ１１の側面図（Ａ）と、一部断面図（Ｂ）である。
【符号の説明】
【００２２】
１    同軸ケーブル用中継アダプタ、
２    シェル、
３    シェル、
４    シェル、
５    中心コンタクト、
６    中央部コンタクト、
６ａ  孔、
７    接続側コンタクト、
７ａ  ピン部、
７ｂ  スリ割り、
７ｃ  孔、
８    絶縁体、
８ａ  挿通孔、
９    絶縁体、
９ａ  挿通孔。
【図１】
2005050752.tif 000003
【図２】
2005050752.tif 000004
【図３】
2005050752.tif 000005
【図４】
2005050752.tif 000006
【図５】
2005050752.tif 000007
【図６】
2005050752.tif 000008
【図７】
2005050752.tif 000009